(57)【特許請求の範囲】
【請求項１】
ブリッジ部材を含むカートリッジ支持体であって、前記ブリッジ部材が、第一及び第二対向端、前記第一対向端に付着点で付着された第一の撓むことのできる部材、及び前記第二対向端に付着点で付着された第二の撓むことのできる部材を含み、前記第一及び第二の撓むことのできる部材のそれぞれが、それぞれの付着点の周りに凸状または凹状配向のいずれかで撓むことができるように構成されており、前記凸状または凹状配向が、前記ブリッジ部材に対して遠位の前記撓むことのできる部材の側から見たものであるもの；及び
第一及び第二端を有する複数のカートリッジであって、各カートリッジが、キャリヤー及び前記キャリヤー内に保持された少なくとも一つの刃を含み、各カートリッジがそれぞれ、前記第一及び第二の撓むことのできる部材に対して前記第一及び第二カートリッジ端で独立して結合され、カートリッジが互いに対して平行に連続的に配置され、付着点の周りの前記撓むことのできる部材の凸状配向では平行なカートリッジが実質的に凸状カーブを形成し、前記凸状配向では、前記撓むことのできる部材は、前記カートリッジを前記ブリッジ部材から離れるように促すように構成されているもの；
を含むことを特徴とするひげそり装置。
【請求項２】
複数の隣接カートリッジが二つより多く、隣接カートリッジが撓むことのできる部材にそれらの間に有限間隔を持って結合されており、前記凸状配向では、前記撓むことのできる部材は、前記撓むことのできる部材がひげそり方向に凸面を有するように前記それぞれの付着点の周りに撓むように構成されていることを特徴とする請求項１に記載の装置。
【請求項３】
凸状配向では、カートリッジは異なる面に配置されることを特徴とする請求項１または２に記載の装置。
【請求項４】
撓むことのできる部材が、力にさらされないときに実質的に平坦であり、かつ力にさらされた時に変形し、力が除去された時にそれらの実質的に平坦な配向に戻るのに十分な弾性を有することを特徴とする請求項１〜３のいずれかに記載の装置。
【請求項５】
撓むことのできる部材の凹状配向から凸状配向への移行では、単一のカートリッジだけが動くことを特徴とする請求項１〜４のいずれかに記載の装置。
【請求項６】
撓むことのできる部材が、少なくとも一つの刃に付与された力に反応して凸状配向を形成することを特徴とする請求項１〜５のいずれかに記載の装置。
【請求項７】
弾性部材が、少なくとも一つのカートリッジと撓むことのできる部材の間に配置されることを特徴とする請求項１〜６のいずれかに記載の装置。
【請求項８】
凸状配向では、ひげそり装置が、凹状配向のひげそり装置によって接近されることができる領域と比較してさらに凹状の領域に接近することができることを特徴とする請求項１〜７のいずれかに記載の装置。
【請求項９】
複数の隣接カートリッジが奇数個の部材であり、複数の隣接カートリッジの一つが撓むことのできる部材に実質的に付着点で結合され、他のカートリッジが撓むことのできる部材に付着点の対向側に等しい数で結合されていることを特徴とする請求項１，３〜８のいずれかに記載の装置。
【請求項１０】
前記複数のカートリッジが、第一カートリッジを含み、前記ひげそり装置が、第一カートリッジの前方に、カートリッジ支持体に結合された第一及び第二端を有する先導プラットホームをさらに含み、前記先導プラットホームが、前記撓むことのできる部材のためにてこの力を与えるように構成されていることを特徴とする請求項１〜９のいずれかに記載の装置。
【請求項１１】
カートリッジ支持体が、単一のユニットとして一体的に成形されていることを特徴とする請求項１〜１０のいずれかに記載の装置。
【請求項１２】
各カートリッジがさらに、キャリヤーに結合された潤滑ストリップを含むことを特徴とする請求項１〜１１のいずれかに記載の装置。
【請求項１３】
ひげそり方法であって、
第一及び第二端を有する複数の独立したカートリッジであって、各カートリッジがキャリヤーと前記キャリヤー内に保持された少なくとも一つの刃を含み、複数の独立したカートリッジが互いに対して平行関係で結合されているもの；及び前記第一及び第二カートリッジ端で複数のカートリッジの各々がそれぞれ結合されている第一及び第二の弾性的に撓むことのできる部材を準備し、
前記弾性的に撓むことのできる部材及びカートリッジの平行結合が凹状の領域に対して押し当てるときに凸状カーブを形成するように、ひげそりされる凹状の領域に対してひげそり装置を押し当て、ただし、前記凸状カーブが、カートリッジが結合されている弾性的に撓むことのできる部材の側から見たものであり、前記凸状カーブが形成された時に、前記撓むことのできる部材は、前記カートリッジをひげそりされる領域の方に向かって促すように構成されている、そして
前記領域をひげそりすること
を含む方法。
【請求項１４】
ひげそり装置が、てこの力を与えて前記凸状カーブを形成するために先導プラットホームをさらに含むことを特徴とする請求項１３に記載の方法。
【請求項１５】
ひげそりされる領域に対してひげそり装置を押し当てることは、使用者の鼻の下にひげそり装置を押し当てることを含むことを特徴とする請求項１３または１４に記載の方法。
【発明の詳細な説明】
【技術分野】
【０００１】
本発明は、パーソナルケア品目、より詳細にはひげそり装置に関する。
【背景技術】
【０００２】
種々様々なひげそり手段が市場で入手可能であり、例えば手動操作される電気かみそり、多用途及び使い捨てひげそり装置がある。典型的には、かかるひげそり装置は、一つ以上の切断刃を便利に保持するためのグリップハンドル、及び一つ以上の刃を支持するそれぞれのカートリッジまたはその中に固定されたそれらの刃を含む。
【発明の概要】
【０００３】
本発明は、より便利な、及び／または快適な、及び／またはより効率的なひげそりを容易にする特徴を備えた、改善されたひげそり装置に関する。
【０００４】
複数の独立した撓み可能に取り付けられたカートリッジを持つひげそり装置が開示されている。それぞれがキャリヤーと少なくとも一つの刃を持つ複数の独立したカートリッジが、互いに平行に弾性的に撓むことのできる取り付け交差片を持つカートリッジ支持体上に取り付けられている。カートリッジ支持体はさらに、取り付け交差片間にわたるブリッジを含む。本発明の一実施態様では、多数の刃を具備するひげそり装置は：それぞれが少なくとも一つの刃を支持する少なくとも二つのカートリッジ；二つの端部を持つ刃カートリッジ支持体であって、各端部が少なくとも二つのカートリッジと係合可能であり、かつカートリッジとハンドル相互連結体の間を橋渡しするもの；及び二つの端部を持つハンドル相互連結体であって、カートリッジ支持体の端部がそれらの曲がりを容易にするように関節連結されているもの；を含む。
【０００５】
本発明の別の実施態様では、多数の刃を具備するひげそり装置は：少なくとも一つのカートリッジであって、少なくとも一つの刃を支持し、少なくとも一つの他のカートリッジと相互に係合可能であり、かつカートリッジ支持体と別個に係合可能であるもの；二つの端部を支持する刃カートリッジ支持体であって、各端部が少なくとも二つのカートリッジと係合可能であり、かつカートリッジとハンドル相互連結体の間を橋渡しするもの；二つの端部を支持するハンドル相互連結体であって、カートリッジ支持体の端部がそれらの曲がりを容易にするように関節連結されているもの；を含む。
【図面の簡単な説明】
【０００６】
本発明の実施態様が、添付図面の図中に例としてかつ限定としてではなく示されており、そこでは同様な参照符号は同様な要素を示す。この開示における「一つの（ａ）」または「一つの（ｏｎｅ）」実施態様に対する異なる符号は必ずしも同じ実施態様に対するものとは限らず、かつかかる符号は少なくとも一つを意味することが注目されるべきである。
【０００７】
【図１】図１は、本発明のひげそりカートリッジの第一実施態様の概略的な等角投影上側分解図である。
【０００８】
【図２】図２は、図１の実施態様の概略的な等角投影下側斜め分解図である。
【０００９】
【図３】図３は、図２の組立てられたひげそり装置の概略的な等角投影図である。
【００１０】
【図４】図４は、三つの収容カートリッジを持つひげそり装置の別の実施態様の分解図である。
【００１１】
【図５】図５は、一組の三つの組立てられたカートリッジを示す、本発明の追加の実施態様の等角投影図である。
【００１２】
【図６Ａ−６Ｂ】図６Ａ及び６Ｂはそれぞれ、本発明の一実施態様のひげそり装置の背面透視図及び正面透視図の概略図である。
【００１３】
【図７】図７は、本発明の一実施態様のかみそり装置の分解図である。
【００１４】
【図８Ａ】図８Ａは、撓んでいない本発明の一実施態様のひげそり装置の概略的な側面図である。
【００１５】
【図８Ｂ】図８Ｂは、凸状配向の本発明の一実施態様のひげそり装置の概略的な側面図である。
【発明を実施するための形態】
【００１６】
本発明によれば、ひげそり装置内で操作可能な複数の機械的に組み合わされた刃を含むひげそり装置が提供される。かかる組み合わせにおいて、各刃はそれぞれのカートリッジ内に固定され、一方、各カートリッジは隣接した一つまたは二つのカートリッジに直接または間接的に結合される。典型的には、ばねが幾つかのカートリッジ及びカートリッジ支持体に隣接して、典型的にはその下に配置され、刃の弾性的な曲がりを可能にする。結果として、ひげそり時に、カートリッジの組立て品はひげそりされる皮膚の表面に依存して凸状カーブ、または凹状カーブをとることができる。
【００１７】
図１を参照すると、それは本発明の例示的ひげそり装置の概略的な分解側面図を示す。装置１０は三つのモジュール：ハンドル相互連結体２０、カートリッジ支持体３０、及び三つ組を形成する一組のカートリッジ４０を含む。ハンドル相互連結体２０は、二つのばね６０と二つのＬ形状止め金７０とを含むハンドル端部５０を持つ。カートリッジ支持体３０の両端部８０はブリッジ８２の平坦部から立ち上がっている。端部８０の役目は、カートリッジ４０とハンドル相互連結体２０の間の橋渡しをすることである。Ｌ形状止め金７０内にきちんとはまって収まるように横を向いている二つの対称的な棚１００がそれぞれ、ブリッジ８２の二つの側面に配置されている。カートリッジ支持体３０の各カートリッジ端部８０は、端部の下側に見える二つの横切ったスリット１０８により関節連結されている。三つの長方形または丸い貫通孔１１０及び三つの長方形貫通凹所１２０がそれぞれの端部に配置されている。カートリッジ１３０，１４０及び１５０のそれぞれは刃１５２を含む。カートリッジ４０の各端部は、露出した刃１５２から離れる方を向くピン１７０と長方形ペグ（図示せず）を持つ。それぞれのカートリッジ４０のピン１７０とペグの各組は整合凹所１１０及び１２０内で別個に係合可能である。ハンドル相互連結体５０は、ばね６０または他の弾性構造を持つ。ばね／構造は、中間カートリッジ１４０を除いて、カートリッジ１３０及び１５０に対応する。従って、ひげそり時に、カートリッジ１３０及び１５０は、ばね６０により弾性的に上向きに促される。
【００１８】
図２は、ハンドル相互連結体２０、カートリッジ支持体３０、及び一組のカートリッジ４０を持つ三つのモジュールの別の図を示す。各カートリッジ４０の両端部から、ピン１７０及びペグ１６０が下向きに延び、各々がそれぞれ凹所１１０及び１２０内に係合可能である。
【００１９】
図３を参照すると、本発明の一実施態様による完全に組立てられたひげそり装置（ハンドルを除く）の等角投影図が、どのように三つ組のカートリッジ４０がばね６０により支持されているかを概略的に示す。上述の実施態様から理解されることができるように、典型的には、ばね６０のような弾性部材の数は、カートリッジの数から１を引いた数に等しい。
【００２０】
図４は、組１８０内の三つのカートリッジを持つ本発明の別の実施態様の分解概略図を示す。組１８０の各カートリッジは、一つまたは二つの他のカートリッジのいずれかと相互に係合可能である。各カートリッジの両端部は一つの孔１９０と一つのピン２００を持つ。従って、カートリッジが組立てられるとき、カートリッジ２１０の孔１９０はカートリッジ２２０のピン２００を収容などする。
【００２１】
図５には、本発明の実施態様の概略的な等角投影図が示されている。組立てられた組１８０は三つのカートリッジからなる。全ては連続的に相互連結されている。本発明の一実施態様では、各カートリッジ上に潤滑ストリップ２８０（図６Ａ参照）が第一刃１５２の前方に配置されており、これは、ストリップがひげそり方向の刃１５２の前方に位置していることを意味する。ストリップ２８０は典型的には、例えばバルバドスアロエ及び／またはココナツミルクのような潤滑物質で含浸される。本発明の別の実施態様では、弾性ゴムストリップが第一刃１５２に隣接してひげそり方向に（例えば、例示実施態様ではカートリッジ１３０の刃）配置される。この弾性ストリップはカートリッジ１３０と連結され、それによりカートリッジの撓み性を決め、かくして、それはひげそり中に毛の持ち上げ、刃に向けての案内を容易にする。かかる特徴は、例えば「Ｇｉｌｌｅｔｔｅ  ｓｏｆｔ  ｍｉｃｒｏｆｉｎｓ」として入手可能な他のひげそり器具で商業化されている［Ｇｉｌｌｅｔｔｅ社、ボストン、ＭＡ０２１９９、米国］。
【００２２】
図６Ａ及び６Ｂはそれぞれ、本発明の一実施態様のひげそり装置の背面透視図及び正面透視図の概略図である。複数の独立カートリッジ２４０，２５０及び２６０がカートリッジ支持体の一対の交差片２０２に結合されている。カートリッジ支持体はまた、交差片２０２間にわたるブリッジ２０４を含む。ブリッジ２０４は、付着点２１６で各交差片２０２に結合されている。
【００２３】
示された実施態様では、三つの独立カートリッジ、即ち、先導カートリッジ２６０、中間カートリッジ２５０及び後続カートリッジ２４０が使用される。一実施態様では、各カートリッジは交差片２０２に独立して取り付けられ、中間カートリッジ２５０は実質的に付着点２１６に取り付けられ、先導及び後続カートリッジ２６０及び２４０はそれらに隣接していずれかの側方に取り付けられている。各カートリッジの構成は、以下に図７を参照してより詳細に述べられる。
【００２４】
一般的に、交差片２０２は、撓み可能であり、かつ凹状及び凸状配向間で撓むことができる。これは図８Ａと８Ｂを参照して以下により詳細に述べられる。静止状態では、例えば力が付与されないときは、交差片２０２は実質的に平坦である。カートリッジ２４０，２５０及び２６０は、接着剤、リベット、熱溶接またはいずれかの通常の付着機構またはそれらの組み合わせを用いて交差片２０２に取り付けられることができる。カートリッジの交差片２０２に沿った配置、特に各カートリッジ対間の有限間隔「ｄ」（図８Ａ及び８Ｂにより良く示される）は、隣接カートリッジ間の接触がさらなる移動を防ぐ前にかみそりの表面が達成できる凹状の量を決める。カートリッジ２４０，２５０及び２６０のそれぞれは独立しているため、かみそり表面が凸状となるときの一つのカートリッジの相対移動は他のカートリッジにより影響されない。かかる移動は交差片２０２の撓み性及び弾性によってのみ束縛される。
【００２５】
ここで使用される「先導」は、ひげそり方向に対する位置において初めの方を言う。従って、先導カートリッジ２６０は、この装置がひげそり領域に沿って引っ張られるときに中間カートリッジ２５０の前にひげそりされる領域に出会う。一実施態様では、ひげそり装置は先導プラットホーム２１４を含み、その上に潤滑ストリップ２８０が配置されることができる。先導プラットホーム２１４は、交差片２０２に取り付けられるか、またはそれにより形成されることができる。潤滑ストリップ２８０は、先導カートリッジ６０に先立って潤滑剤を放出するように配置されている。
【００２６】
ある実施態様では、各カートリッジはまた、それ自身の潤滑ストリップ２０８を持つことができ、それは、次の連続するカートリッジが到着する前にひげそりされる領域を潤滑する。先導プラットホーム２１４は、潤滑ストリップ２０８の付着を改善する穿孔２２４を含むことができる。代替実施態様では、潤滑ストリップ２０８は、先導カートリッジ２６０に先立ってドレンを上昇する撓み可能な突出部またはミラーファン（ｍｉｒｒｏｒ  ｆａｎｓ）と置き換えられることができる。ハンドル相互連結体２７２は、ひげそり装置をかみそりハンドルに結合するのを可能にするブリッジ２０４に結合される。ハンドル相互連結体２７２は、ハンドルに取り付けられたときに装置全体の往復運動をもたらすことができる。かみそり相互連結体２７２は、それを商業的に入手可能なまたはその後設計された無数の可能なかみそりハンドルに連結可能にするいずれかの必要な構成を持つことができる。
【００２７】
図７は、本発明の一実施態様のひげそり装置の分解図である。先導カートリッジ２６０は分解して示されている。各カートリッジは、刃３０６、及びベース３０２とキャップ３０４とを持つキャリヤーを含み、このキャリヤーが刃３０６を保持する。ベース３０２とキャップ３０４はいずれかの好適なプラスチックまたは他の材料から射出成形されることができ、例えばプラスチックまたはアルミニウムから押出されることができる。一実施態様では、ベース３０２は、それから延びる取付けペグ３１０と一体的に形成される。取付けペグ３１０は、交差片２０２の穴３１２に係合し、かつそこに熱溶接または別の方法で付着されることができる。キャップ３０４は、ベース３０２にスナップ嵌めして刃３０６を保持するように設計されている。ベース３０２は溝３０８を規定し、それを通してそられた毛が刃３０６を詰まらせたりまたはふさぐことなく通過することができる。
【００２８】
種々の実施態様において、交差片２０２は商業的に入手可能な弾性ナイロン１２、ポリウレタン、またはいずれかの他の好適な弾性合成材料から形成されることができる。一般的に、交差片２０２は変形して、その略平坦な初期状態に少なくとも８０００サイクル戻るのに十分な弾性を持つことが望ましい。１００００サイクル以上の弾性が好ましい。ある実施態様では、交差片２０２及びブリッジ２０４は一ユニットとして一体的に成形されるかまたは押出される。ある他の実施態様では、交差片２０２及びベース３０２は一ユニットとして一体的に成形される。各カートリッジのベース３０２が互いに一体片として一体的に形成されることができるとき、かかる場合にブリッジ２０４に対する必要がないことが注目されるべきである。
【００２９】
図８Ａ及び８Ｂはそれぞれ、撓んでいない及び凸状に配向した、本発明の一実施態様のひげそり装置の概略側面図である。交差部材４０２は、ブリッジ４０４に結合され、かつ独立カートリッジ４４０，４５０及び４６０を保持する。図の二方向矢印は、交差部材４０２の付着点４１６周りの凹状または凸状配向に撓む能力の表示である。有限間隔「ｄ」が、隣接カートリッジ対４４０，４５０及び４６０間に存在する。有限間隔「ｄ」は、交差部材４０２がひげそり装置の表面を凹状に撓ますことができる量を決める。交差部材４０２が凹状配向に撓むとき、隣接カートリッジは接触しかつさらなる凹状を防ぐ。有限間隔「ｄ」がないときには、交差部材４０２は（一旦組立てられると）表面を凸状にする方向でのみ撓むことが可能であるだろう。凸状配向は、使用者の鼻の下のような窮屈な領域のひげそりを助け、一方、凹状配向はあごのような角張った部分周りのひげそりを助ける。一般的に言えば、凸状撓み性に対する必要性は凹状撓み性に対する必要性を越える。示された実施態様では、先導プラットホーム４１４は一連のマイクロ突出部を支持し、それらは弾性材料から形成されることができ、かつ先導カートリッジ４６０から刃に先立つ毛を上昇するように設計されている。マイクロ突出部は全体または一部を先導プラットホーム４１４上の潤滑ストリップにより置き換えられることができることが理解されるべきである。
【００３０】
図８Ｂは、付着点４１６の周りに凸状配向で撓んだ交差部材４０２を示す。前に述べたように、この配向は使用者の鼻周りのような窮屈な空間中へ入り込むのを容易にする。明らかに、先導プラットホーム４１４は、ひげそりされる領域に対して使用者が装置を押圧するときにこの撓みを容易にするてこの力を提供し、さらに先導プラットホーム４１４は、付着点４１６の周りの曲がりを開始するレバーアームを提供する。
【００３１】
前述の明細書中において、本発明の実施態様がその特定の実施態様に関して説明された。しかし、種々の修正及び変更が添付請求項に記載された本発明のより広い精神及び範囲から逸脱することなくそれらになされることができることは明らかであるだろう。従って、明細書及び図面は、限定的意味よりむしろ例示として考えられるべきである。
【図１】
0005674658.tif 000002
【図２】
0005674658.tif 000003
【図３】
0005674658.tif 000004
【図４】
0005674658.tif 000005
【図５】
0005674658.tif 000006
【図６Ａ−６Ｂ】
0005674658.tif 000007
【図７】
0005674658.tif 000008
【図８Ａ】
0005674658.tif 000009
【図８Ｂ】
0005674658.tif 000010